(57)【特許請求の範囲】
【請求項１】
ケース１１と表示部１２と取付けスリット１１１とステー２からなり、ケース１１の表示部１２の左右の対称の位置に、ステー２を取り付ける為の縦方向に取付スリット１１１を備え、表示部１２の側面にステー２を取り付ける為のネジ取付穴１１３を設け、ケース１１の側面に、ネジ取付穴１１３に対抗する位置にネジ２２を締め付ける為のドライバー差込穴１１２を設けることにより、取付スリット１１１にステー２を挿入し、ドライバー差込穴１１２からステー取付穴２１とネジ取付穴１１３にネジ２２を通し締めることで、ステー２をケース１１に取り付けるようにしたことを特徴とするポータブル式ＬＥＤ電光表示板１。
【発明の詳細な説明】
【技術分野】
【０００１】本発明は、持ち運びのできるＬＥＤ電光表示板に関する。
【背景技術】
【０００２】従来、固定文字や表示をパソコンで文字を入力し、リモコンで文字を点灯表示する表示板があった。
【先行技術文献】
【特許文献】
【０００３】
【特許文献１】特願平１１−５７４３９公報
【発明の概要】
【発明が解決しようとする課題】
【０００４】電光表示板は、自動車の窓ガラスやサンバイザーなど任意の場所に取り付けることができにくかった。
【課題を解決するための手段】
【０００５】本発明は、ケース１１にある取付スリット１１１にステー２を取付け、ドライバー差込穴１１２からドライバーを差し込み、ステー取付穴２１にネジ２２を差し込み長穴にてステー２の角度の調節ができ、ステー２の吸盤又は磁石取付穴２１１に吸盤または磁石を取付けることでガラス部や鉄部への装着、さらに面ファスナー取付スリット２１２に面ファスナー４を通すことによりサンバイザー３等のあらゆる場所に設置でき内臓されたバッテリーに充電する事で配線を無くし、持ち運びを可能にし、色々な場所での使用を可能とした電光表示板である。
【発明の効果】
【０００６】幅広い職種・用途に使用でき、ケースにステーの設置により様々な場所への取り付けを可能にした。
【図面の簡単な説明】
【０００７】
【図１】は本発明のポータブル式ＬＥＤ電光表示板の構成を示す。（ａ）表から見た図（ｂ）裏から見た図
【図２】は本発明のポータブル式ＬＥＤ電光表示板の表からの取付方法を示す。（ａ）取り付ける前（ｂ）取り付け後
【図３】は本発明のポータブル式ＬＥＤ電光表示板の裏からの取付方法を示す。（ａ）取り付ける前（ｂ）取り付け後
【図４】は本発明のポータブル式ＬＥＤ電光表示板の自動車の後部への取付例（ａ）ガラス部（ｂ）車体
【図５】は本発明のポータブル式ＬＥＤ電光表示板のサンバイザーへの取付例（ａ）前から見た図（ｂ）後から見た図
【発明を実施するための形態】
【０００８】図１はポータブル式ＬＥＤ電光表示板１の構成を示す。（ａ）は表から見た斜視図（ｂ）は裏から見た斜視図である。
以下、本発明のポータブル式ＬＥＤ電光表示板１の構成を説明する。
ポータブル式ＬＥＤ電光表示板１は、ケース１１と表示部１２と取付スリット１１１とステー２（図２参照）からなる。
ケース１１の表面は、（ａ）に示すように、ケース１１の表面の中央付近に、ＬＥＤの表示部１２、その左右の対称の位置に、後述するステー２を取り付ける為の縦方向に取付スリット１１１を有する。
ケース１１の裏面は、（ｂ）に示すように、表示部１２の側面にステー２を取り付ける為のネジ取付穴１１３を設ける。
ケース１１には、ネジ取付穴１１３に対抗する面にはネジ２２を締め付ける為のドライバー差込穴１１２を設ける。
【０００９】図２はポータブル式ＬＥＤ電光表示板１にステー２を表から取付ける方法を示す斜視図である。（ａ）はステー２を取り付ける前の斜視図、（ｂ）はステー２を取付けた後の斜視図を示す。
図２はステー２を前面から取り付ける場合の取り付け方法を示す。
ケース１１にある取付スリット１１１にステー２を挿入し、ドライバー差込穴１１２からネジ取付穴１１３とステー取付穴２１にネジ２２を通し締める。尚、ステー取付穴２１が長穴になっている事によりステー２の角度を調整する事を可能にし、ステー２にある吸盤又は磁石取付穴２１１に吸盤を取り付ければガラス部に取付可能にもなり、磁石を取り付ければ、鉄の部分にも取付け可能になる。
又、面ファスナー取付スリット２１２に面ファスナー４を（図５（ｂ）参照）通す事を可能とする事により場所を選ばず使用できる事を可能にしている。
【００１０】図３はポータブル式ＬＥＤ電光表示板１の後ろからの取付方法を表した斜視図である。
（ａ）はステー２を取り付ける前の斜視図、（ｂ）はステー２を取付けた後の斜視図を示す。
図３はステー２を後面から取り付ける場合の取り付け方法を示す。
ケース１１の背面の表示部１２の側面にステー２を取付けドライバー差込穴１１２からドライバーを差し込み、ネジ取付穴１１３とステー取付穴２１にネジ２２を通し締める。尚、ステー取付穴２１が長穴になっている事によりステー２の角度を調整する事を可能にする。ステー２にある吸盤又は磁石取付穴２１１に吸盤や磁石を取り付けたり、面ファスナー取付スリット２１２に面ファスナー４を通す事を可能とする事により場所を選ばず取り付けできる。
【００１１】図４は車両に取付けた時の図である。（ａ）は車のリヤガラスの部分に車両内部から吸盤で装着した状態のイメージ図、（ｂ）は車のバックドアに磁石で装着した状態のイメージ図を示す。ポータブル式ＬＥＤ電光表示板１にステー２を取付け、ステー２にある吸盤又は磁石取付穴２１１に、吸盤を取付けリヤガラスに装着する事が出来、又、磁石を取付ければバックドアに装着できる。
【００１２】図５はサンバイザー３に取付けた時の図である。（ａ）は車のサンバイザー３に面ファスナー４で装着した状態のイメージ図。（ｂ）はサンバイザー３に取り付けた状態の後から見たイメージ図を示す。
表示板本体にステー２を取付けステー２にある面ファスナー取付スリット２１２に面ファスナー４を通しサンバイザー３に巻きつける様にしてしっかり固定し装着した状態を示す。
【００１３】本発明のポータブル式ＬＥＤ電光表示板１は、表示板本体にケース１１と表示部１２に文字が表示される事により、歩行者、自転車、自動車等に、注意・危険等を知らせるものである。ケース１１に取付スリット１１１があり、取付スリット１１１にステー本体２を挿入しドライバー差込穴１１２からドライバーを通しステー取付穴２１とネジ取付穴１１３にネジを差し込む事によりステー２の角度が調整する事が出来る。ステー２の吸盤又は磁石取付穴２１１に、吸盤又は磁石を取り付ける事によりガラス部、鉄部等に取り付ける事ができる。さらに、面ファスナー取付スリット２１２に面ファスナー４を通す事によりサンバイザー３等、色々な場所に取り付ける事を可能にした為、サンバイザー３のみならず、工事現場等あらゆる場所に使用できる。切替えスイッチにて表示パターンを選択しスイッチを選択する事により発光ダイオードで作成された文字例を点滅させたり、点滅させないようにできる。
【符号の説明】
【００１４】１          ポータブル式ＬＥＤ電光表示板１
１１      ケース
１１１  取付スリット
１１２  ドライバー差込穴
１１３  ネジ取付穴
１２      表示部
２          ステー
２１      ステー取付穴
２１１  吸盤又は磁石取付穴
２１２  面ファスナー取付スリット
２２      ネジ
３          サンバイザー
４          面ファスナー
【要約】
【課題】電光表示板は、自動車の窓やサンバイザーなど任意の場所に取り付けることができなかった。
【解決手段】ケース１１と表示部１２と取付スリット１１１とステー２からなり、ケース１１の表示部１２の左右の対称の位置に、ステー２を取り付ける為の縦方向に取付スリット１１１を備え、表示部１２の側面にステー２を取り付ける為のネジ取付穴１１３を設け、ケース１１の側面に、ネジ取付け穴１１３に対抗する面にはネジを締め付ける為のドライバー差込穴１１２を設けることにより、ケース１１にあるステー取付スリット１１１にステー２を挿入し、ドライバー差込穴１１２からネジ取付穴１１３とステー取付穴２１にネジ２２を通し締めることで、ステー２をケース１１に取り付けるようにしたことを特徴とするポータブル式ＬＥＤ電光表示板１。
【選択図】図１【図１】
0005699412.tif 000002
【図２】
0005699412.tif 000003
【図３】
0005699412.tif 000004
【図４】
0005699412.tif 000005
【図５】
0005699412.tif 000006